(57)【要約】      （修正有）【課題】バケットローダーが昇降不可能になる弊害がほとんど生じない製品投入装置を提供する。【解決手段】複数対のリンク４・５とシリンダで伸縮可能なパンダグラフ６と、パンダグラフにおける最上位の２対のリンクのうち上端部が研掃室側に位置する１対のリンクの上端部が上下回動自在に連結されかつ他方の１対のリンクの上端部が直線状に移動自在に係合された第１案内部材７と、第１案内部材の上面に直線状に移動自在に装着されかつバケットローダー１の外壁面が上下回動自在に連結された第２案内部材８と、下部が別途上下回動自在に枢支されて固定配設されかつバケットローダーが研掃室の製品投入口に向けて傾動した時に製品が移動するバケットローダーの外壁面に上部が回動自在にして連結されてバケットローダー上部の上昇を制限する制限リンク１２とで、バケットローダー傾動機構３を構成する。【選択図】図１
2008214067.tif 000002
【特許請求の範囲】
【請求項１】
ショットを投射して製品を研掃する研掃室を備えたショットブラスト設備におけるその研掃室に製品を投入する装置であって、
バケットローダーと、
このバケットローダーを所要高さまで上昇させたのちバケットローダーの上端を前記研掃室の製品投入口に向けて傾動させるバケットローダー傾動機構とを、備えており、
このバケットローダー傾動機構は、
複数対のリンクとシリンダとによって構成されてシリンダの伸縮作動により複数対のリンクが全体として上下方向に伸縮可能なパンダグラフと、
このパンダグラフにおける最上位の２対のリンクのうちその上端部が前記研掃室側に位置する１対のリンクのその上端部が上下回動自在に連結されかつ他方の１対のリンクの上端部が直線状に移動自在に係合された第１案内部材と、
この第１案内部材の上面にこれに沿って直線状に移動自在に装着されかつ前記パンダグラフの伸長に伴って上昇する前記バケットローダーの上端部が前記研掃室の製品投入口に向けて傾動する時に製品が滑降する壁面と成る前記バケットローダーの外壁面が上下回動自在に連結された第２案内部材と、
その下部が上下回動自在に枢支されて別途固定配設されかつ前記バケットローダーが前記研掃室の製品投入口に向けて傾動した時に製品が滑降する壁面と成る前記バケットローダーの外壁面にその上部が回動自在にして連結されて前記パンダグラフの伸長により上昇する前記バケットローダーの上部の上昇を制限する制限リンクと、
を含むことを特徴とするショットブラスト設備における製品投入装置。
【発明の詳細な説明】
【技術分野】
【０００１】
本発明は、ショットを投射して製品を研掃する研掃室を備えたショットブラスト設備におけるその研掃室に製品を投入する装置に関する。
【背景技術】
【０００２】
従来、この種の装置の一つとして、サポートフレームの下部に枢着されたローダートラックの上端に、バケットローダーが上端にて枢支され、かつ前記サポートフレームの天井部に垂設されたチェーンの下端が前記ローダートラックの上端に固着され、さらに、前記サポートフレームの天井部に設置されたワイヤー駆動装置からのワイヤーが、前記バケットローダーの左右両外側面に軸支された滑車に掛け回されたのち、前記サポートフレームの天井部に下端にて固定された構造を成して、ワイヤー駆動装置の駆動によりバケットローダーがローダートラックを介して傾動するように構成されたものがある。
【特許文献１】実公昭５２−５２３７７号公報    第４図
【発明の開示】
【発明が解決しようとする課題】
【０００３】
しかし、このように構成された従来の製品投入装置では、ワイヤーやチェーンがショットに晒されて比較的早期に損傷したり、破断したりしてバケットローダーを昇降させることができなくなるなどの問題があった。
【０００４】
本発明は、上記の事情に鑑みてなされたもので、その目的は、バケットローダーが昇降不可能になる弊害がほとんど生じない製品投入装置を提供することにある。
【課題を解決するための手段】
【０００５】
上記の目的を達成するために本発明は、ショットを投射して製品を研掃する研掃室を備えたショットブラスト設備におけるその研掃室に製品を投入する装置であって、バケットローダーと、このバケットローダーを所要高さまで上昇させたのちバケットローダーの上端を前記研掃室の製品投入口に向けて傾動させるバケットローダー傾動機構とを、備えており、このバケットローダー傾動機構は、複数対のリンクとシリンダとによって構成されてシリンダの伸縮作動により複数対のリンクが全体として上下方向に伸縮可能なパンダグラフと、このパンダグラフにおける最上位の２対のリンクのうちその上端部が前記研掃室側に位置する１対のリンクのその上端部が上下回動自在に連結されかつ他方の１対のリンクの上端部が直線状に移動自在に係合された第１案内部材と、この第１案内部材の上面にこれに沿って直線状に移動自在に装着されかつ前記パンダグラフの伸長に伴って上昇する前記バケットローダーの上端部が前記研掃室の製品投入口に向けて傾動する時に製品が滑降する壁面と成る前記バケットローダーの外壁面が上下回動自在に連結された第２案内部材と、その下部が上下回動自在に枢支されて別途固定配設されかつ前記バケットローダーが前記研掃室の製品投入口に向けて傾動した時に製品が滑降する壁面と成る前記バケットローダーの外壁面にその上部が回動自在にして連結されて前記パンダグラフの伸長により上昇する前記バケットローダーの上部の上昇を制限する制限リンクと、を含むことを特徴とする。
【０００６】
このように構成されたものは、バケットローダー内に研掃すべき製品を供給した後、パンダグラフのシリンダの作動によりパンダグラフを伸長させると、バケットローダーは、パンダグラフの伸長に伴って上昇されながら研掃室方向へ傾動された後、上端が制限リンクによって上昇を制限され、その結果、バケットローダーは研掃室へ向けて下向きに傾動されて製品が研掃室に投入されることとなる。
【発明の効果】
【０００７】
以上の説明から明らかなように本発明は、ショットを投射して製品を研掃する研掃室を備えたショットブラスト設備におけるその研掃室に製品を投入する装置であって、バケットローダーと、このバケットローダーを所要高さまで上昇させたのちバケットローダーの上端を前記研掃室の製品投入口に向けて傾動させるバケットローダー傾動機構とを、備えており、このバケットローダー傾動機構は、複数対のリンクとシリンダとによって構成されてシリンダの伸縮作動により複数対のリンクが全体として上下方向に伸縮可能なパンダグラフと、このパンダグラフにおける最上位の２対のリンクのうちその上端部が前記研掃室側に位置する１対のリンクのその上端部が上下回動自在に連結されかつ他方の１対のリンクの上端部が直線状に移動自在に係合された第１案内部材と、この第１案内部材の上面にこれに沿って直線状に移動自在に装着されかつ前記パンダグラフの伸長に伴って上昇する前記バケットローダーの上端部が前記研掃室の製品投入口に向けて傾動する時に製品が滑降する壁面と成る前記バケットローダーの外壁面が上下回動自在に連結された第２案内部材と、その下部が上下回動自在に枢支されて別途固定配設されかつ前記バケットローダーが前記研掃室の製品投入口に向けて傾動した時に製品が滑降する壁面と成る前記バケットローダーの外壁面にその上部が回動自在にして連結されて前記パンダグラフの伸長により上昇する前記バケットローダーの上部の上昇を制限する制限リンクと、を含むから、バケットローダーは、パンダグラフの伸長に伴って上昇されながら研掃室方向へ傾動された後、上端が制限リンクによって上昇を制限されて研掃室へ向けて下向きに傾動されるため、従来のこの種の装置のようにワイヤー駆動装置からのワイヤーや垂設されたチェーンを用いることなく、バケットローダーを上昇させるとともに所定の研掃室に向けて下向きに傾動させることができるなどの優れた実用的効果を奏する。
【発明を実施するための最良の形態】
【０００８】
以下、本発明を適用したショットブラスト設備の一実施例について、図１および図２に基づき詳細に説明する。図示するように、本ショットブラスト設備は、バケットローダー１と、このバケットローダー１を所要高さまで上昇させたのちバケットローダー１の上端を、研掃室を構成する回転ドラムDの製品投入口に向けて傾動させるバケットローダー傾動機構３とで構成してある。
【０００９】
そして、前記バケットローダー傾動機構３は、複数対のリンク４・５とシリンダ（図示せず）とによって構成されてシリンダの伸縮作動により複数対のリンク４・５が全体として上下方向に伸縮可能なパンダグラフ６と、このパンダグラフ６における最上位の２対のリンク４・５のうちその上端部が前記回転ドラムD側に位置する１対のリンク５のその上端部が上下回動自在に連結されかつ他方の１対のリンク４の上端部が直線状に移動自在に係合された第１案内部材７と、この第１案内部材７の上面にこれに沿って直線状に移動自在に装着されかつ前記パンダグラフ６の伸長に伴って上昇するバケットローダー１の上端部が前記回転ドラムD の製品投入口に向けて傾動する時に製品が移動する壁面と成る前記バケットローダー１の外壁面が上下回動自在に連結された第２案内部材８と、その下部が固定フレーム９に連結機構１０を介して上下回動自在に枢支されて固定配設されかつ前記バケットローダー１が前記回転ドラムD の製品投入口に向けて傾動した時に製品が移動する壁面と成る前記バケットローダー１の外壁面にその上部が連結機構１１を介して回動自在にして連結されて前記パンダグラフ６の伸長により上昇するバケットローダー１の上部の上昇を制限する制限リンク１２と、で構成してある。
【００１０】
このように構成したものは、バケットローダー１内に研掃すべき製品を供給した後、パンダグラフ６のシリンダの作動によりパンダグラフ６を伸長させると、バケットローダー１は、パンダグラフ６の伸長に伴って上昇されながら回転ドラムD 方向へ傾動された後、上端が制限リンク１２によって上昇を制限され、その結果、バケットローダー１は回転ドラムD へ向けて下向きに傾動されて製品が回転ドラムD に投入されることとなる。
【００１１】
なお、上記の実施例では研掃室を構成するものとして回転ドラムD を用いたが、これに限定されるものではなく、たとえば、特開昭６０−９６５９号公報に記載されるような、いわゆるエプロンコンベヤによって構成されたものでも同様の作用効果が得られる。
【図面の簡単な説明】
【００１２】
【図１】本発明を適用したショットブラスト設備の正面図である。
【図２】図１に表示するショットブラスト設備の左側面図である。
【符号の説明】
【００１３】
１    バケットローダー
４    バケットローダー傾動機構
６    パンダグラフ
７    第１案内部材
８    第２案内部材
１２    制限リンク  
【図１】
2008214067.tif 000003
【図２】
2008214067.tif 000004